(57)【要約】【課題】係合用切欠が備えられたコアビットボディの変形を防止でき、着脱の不具合を生じさせることのない動力工具用コアビット及びコアビット組を提供する。【解決手段】コアビット１は、先端側にダイヤモンドチップ４を有し、末端側に係合用切欠５を有する円筒状コアビットボディ２と、コアビットボディ２の末端側に、係合用切欠５の外周側を覆うように設けられる円筒状補強リング６とを備える。円筒状補強リング６で補強することでコアビットボディ２の変形を防止できる。また、内周面６ａをシャンク側と嵌合する芯出し面とすることで、精度良く芯出しが可能で、コアビット１の振れを抑制可能である。【選択図】図１
2014030867.tif 000002
【特許請求の範囲】
【請求項１】
先端側に刃部を有し、末端側に係合用溝又は切欠を有する円筒状コアビットボディと、
前記コアビットボディの末端側に、前記係合用溝又は切欠の外周側を覆うように設けられる円筒状補強リングとを備えることを特徴とする動力工具用コアビット。
【請求項２】
前記円筒状コアビットボディは、末端側に係合用切欠を有する、請求項１に記載の動力工具用コアビット。
【請求項３】
前記円筒状補強リングの内周面にシャンク側との芯出し面を備える、請求項１又は２に記載の動力工具用コアビット。
【請求項４】
前記円筒状補強リングの外周面に滑り止め加工が施されている、請求項１乃至３のいずれか一項に記載の動力工具用コアビット。
【請求項５】
前記円筒状補強リングの内周面のシャンクとの合わせ面に、Ｏリング溝が形成され、前記Ｏリング溝にＯリングが配置されている、請求項１乃至４のいずれか一項に記載の動力工具用コアビット。
【請求項６】
前記係合用溝又は切欠は、前記末端側の開口縁から軸方向に延びる軸方向部と、前記軸方向部の端部から周方向に延びる第１の周方向部とを有する、請求項１乃至５のいずれか一項に記載の動力工具用コアビット。
【請求項７】
前記第１の周方向部の末端には周方向の移動を規制するロック部が設けられている請求項６に記載の動力工具用コアビット。
【請求項８】
前記軸方向部の途中から前記第１の周方向部と同じ向きに延びる第２の周方向部をさらに有する、請求項６又は７に記載の動力工具用コアビット。
【請求項９】
前記軸方向部の前記開口縁側は第１の周方向幅で、奥側は前記第１の周方向幅よりも狭い第２の周方向幅であり、前記第１の周方向幅から前記第２の周方向幅に変化する部分が傾斜部となっている、請求項８に記載の動力工具用コアビット。
【請求項１０】
請求項１乃至９のいずれか一項に記載の動力工具用コアビットと、前記コアビットの前記係合用切欠を有する側に着脱自在に取り付けられるシャンクとを備え、
前記シャンクは、前記コアビットの末端側に嵌合するフランジと、
前記フランジに固定された取付軸と、
前記係合用切欠に係合する突起とを有することを特徴とする動力工具用コアビット組。
【請求項１１】
請求項８に記載の動力工具用コアビットと、前記コアビットの末端側に着脱自在に取り付けられるシャンクとを備え、
前記シャンクは、前記円筒状補強リングの内周面に嵌合するフランジと、
前記フランジに固定された取付軸と、
前記フランジに対して軸方向に移動自在でかつ前記フランジに近づく方向に付勢された可動部と、
前記可動部に設けられる第１の突起及び前記フランジに設けられる第２の突起とを備え、
前記第１の突起は前記第１の周方向部と係合可能で、前記第２の突起は前記第２の周方向部と係合可能であり、前記第１及び第２の突起が前記第１及び第２の周方向部とそれぞれ係合した状態にて前記第１及び第２の突起の相互間隔を小さくする向きの力により前記コアビットを保持することを特徴とする動力工具用コアビット組。
【請求項１２】
請求項９に記載の動力工具用コアビットと、前記コアビットの末端側に着脱自在に取り付けられるシャンクとを備え、
前記シャンクは、前記円筒状補強リングの内周面に嵌合するフランジと、
前記フランジに固定された取付軸と、
前記フランジに対して軸方向に移動自在でかつ前記フランジに近づく方向に付勢された可動部と、
前記可動部に設けられる第１の突起及び前記フランジに設けられる第２の突起とを備え、
前記第１の突起は前記第１の周方向部と係合可能で、前記第２の突起は前記第２の周方向部と係合可能であり、前記第１及び第２の突起が前記第１及び第２の周方向部とそれぞれ係合した状態にて前記第１及び第２の突起の相互間隔を小さくする向きの力により前記コアビットを保持し、
前記第１及び第２の突起が前記軸方向部にあり、かつ前記第１の周方向幅から前記第２の周方向幅に変化する傾斜部に前記第１の突起が当接したときは、前記シャンクを前記コアビットから離脱する向きの分力を発生することを特徴とする動力工具用コアビット組。
【請求項１３】
前記フランジ及び前記可動部と、前記コアビットボディの内径との嵌合部の隙間は、前記円筒状補強リングの内周面と前記シャンク側との嵌合部の隙間よりも大きい隙間を有する、請求項１１又は１２に記載の動力工具用コアビット組。
【請求項１４】
前記フランジは、前記円筒状補強リングの内周面に嵌合する嵌合面と、前記嵌合面に隣接しかつ前記コアビットの先端側に向かって径が小さくなるテーパ面とを有し、前記テーパ面は前記嵌合面よりも前記コアビットの先端側に位置する、請求項１０乃至１３のいずれか一項に記載の動力工具用コアビット組。
【発明の詳細な説明】
【技術分野】
【０００１】
本発明は、動力工具の先端に取り付けるためのコアビット及びコアビットとシャンクからなるコアビット組に係り、とくに円筒状穿孔ができるコアビット及びコアビット組に関するものである。
【背景技術】
【０００２】
現在、コンクリートや石材の大径穴あけは、電気ドリルの先端に取り付けたダイヤモンドコアビットにより行われている。ダイヤモンドコアビットは円筒状のボディの縁部にダイヤモンド刃部をセグメント状に配置したもので、穿孔後には内部のコアがコアビット内部に残留する。そのため、次の穴あけを行う場合にはコアビット内部に残留したコアを取り出した後に行わねばならないが、ダイヤモンド刃部側から取り出そうとしてもスムーズには取り出せないため、コアビットとシャンクとを分離した後、コアビットのシャンク側の穴から棒のようなもので残留コアを押し出して取り出すといった作業が行われている。
【０００３】
しかしながら、コアビットとシャンクは通常ねじ固定されているため、穿孔中に固く締まってしまい、穿孔後に分離させるのにかなりの労力と時間を要していた。そのためワンタッチでコアビットとシャンクを分離することが可能な構造が求められており、例えば特許文献１に記載される技術が提案されている。
【先行技術文献】
【特許文献】
【０００４】
【特許文献１】特開平９−１４１３号公報
【発明の概要】
【発明が解決しようとする課題】
【０００５】
特許文献１ではコアビットボディに係合溝が備えられており、シャンク側のピンと係合して動力が伝達される構造となっている。そのためピンを係合溝に沿って移動させることでコアビットボディの着脱を容易に行うことができる。
【０００６】
しかしながら、コアビットボディに、ボディ内周から外周まで貫通する係合用切欠が備えられているため、穴あけ作業時にコアビットボディがロックし過大なトルクが発生した場合や、係合用切欠周辺部に物がぶつかるといった場合に係合用切欠が変形するといった問題が生じやすい。変形が生じるとコアビットボディとシャンク側との固定ができなくなってしまう。
また、コアビットボディの内周に係合溝や係合用切欠を備えた場合、仕上げ加工時の内周面の加工精度が悪化する場合があり、コアビットボディとシャンクとの芯出し精度が低下するという問題があった。
【０００７】
本発明は、上記問題を鑑みてなされたものであり、その目的とするところは、係合用溝又は切欠が備えられたコアビットボディの変形を防止でき、着脱の不具合を生じさせることのない動力工具用コアビット及びコアビット組を提供することである。
【課題を解決するための手段】
【０００８】
本発明の第１の態様は動力工具用コアビットである。この動力工具用コアビットは、先端側に刃部を有し、末端側に係合用溝又は切欠を有する円筒状コアビットボディと、
前記コアビットボディの末端側に、前記係合用溝又は切欠の外周側を覆うように設けられる円筒状補強リングとを備えることを特徴とする。
【０００９】
前記第１の態様において、前記円筒状コアビットボディは、末端側に係合用切欠を有するとよい。
【００１０】
前記第１の態様において、前記円筒状補強リングの内周面にシャンク側との芯出し面を備えるとよい。
【００１１】
前記第１の態様において、前記円筒状補強リングの外周面に滑り止め加工が施されているとよい。
【００１２】
前記第１の態様において、前記円筒状補強リングの内周面のシャンクとの合わせ面に、Ｏリング溝が形成され、前記Ｏリング溝にＯリングが配置されているとよい。
【００１３】
前記第１の態様において、前記係合用切欠は、前記末端側の開口縁から軸方向に延びる軸方向部と、前記軸方向部の端部から周方向に延びる第１の周方向部とを有するとよい。
【００１４】
前記第１の態様において、前記第１の周方向部の末端には周方向の移動を規制するロック部が設けられているとよい。
【００１５】
前記第１の態様において、前記軸方向部の途中から前記第１の周方向部と同じ向きに延びる第２の周方向部をさらに有するとよい。
【００１６】
前記第１の態様において、前記軸方向部の前記開口縁側は第１の周方向幅で、奥側は前記第１の周方向幅よりも狭い第２の周方向幅であり、前記第１の周方向幅から前記第２の周方向幅に変化する部分が傾斜部となっているとよい。
【００１７】
本発明の第２の態様はコアビット組である。このコアビット組は、前記第１の態様の動力工具用コアビットと、前記コアビットの前記係合用切欠を有する側に着脱自在に取り付けられるシャンクとを備え、
前記シャンクは、前記コアビットの末端側に嵌合するフランジと、前記フランジに固定された取付軸と、前記係合用切欠に係合する突起とを有することを特徴とする。
【００１８】
前記第２の態様において、前記コアビットの前記係合用切欠は、前記末端側の開口縁から軸方向に延びる軸方向部と、前記軸方向部の端部から周方向に延びる第１の周方向部と、前記軸方向部の途中から前記第１の周方向部と同じ向きに延びる第２の周方向部とを有し、
前記シャンクは、前記円筒状補強リングの内周面に嵌合するフランジと、前記フランジに固定された取付軸と、前記フランジに対して軸方向に移動自在でかつ前記フランジに近づく方向に付勢された可動部と、前記可動部に設けられる第１の突起及び前記フランジに設けられる第２の突起とを備え、
前記第１の突起は前記第１の周方向部と係合可能で、前記第２の突起は前記第２の周方向部と係合可能であり、前記第１及び第２の突起が前記第１及び第２の周方向部とそれぞれ係合した状態にて前記第１及び第２の突起の相互間隔を小さくする向きの力により前記コアビットを保持する構成であるとよい。
【００１９】
さらに、前記係合用切欠において、前記軸方向部の前記開口縁側は第１の周方向幅で、奥側は前記第１の周方向幅よりも狭い第２の周方向幅であり、前記第１の周方向幅から前記第２の周方向幅に変化する部分が傾斜部となっていて、前記第１及び第２の突起が前記軸方向部にあり、かつ前記第１の周方向幅から前記第２の周方向幅に変化する前記傾斜部に前記第１の突起が当接したときは、前記シャンクを前記コアビットから離脱する向きの分力を発生する構成であるとよい。
【００２０】
前記第２の態様において、前記フランジ及び前記可動部と、前記コアビットボディの内径との嵌合部の隙間は、前記円筒状補強リングの内周面と前記シャンク側との嵌合部の隙間よりも大きい隙間を有するとよい。
【００２１】
前記第２の態様において、前記フランジは、前記円筒状補強リングの内周面に嵌合する嵌合面と、前記嵌合面に隣接しかつ前記コアビットの先端側に向かって径が小さくなるテーパ面とを有し、前記テーパ面は前記嵌合面よりも前記コアビットの先端側に位置する構成でもよい。
【００２２】
なお、以上の構成要素の任意の組合せ、本発明の表現を方法やシステムなどの間で変換したものもまた、本発明の態様として有効である。
【発明の効果】
【００２３】
本発明によれば、円筒状コアビットボディの係合用溝又は切欠側に、係合用溝又は切欠の外周側を覆うように円筒状補強リングを設けているので、穴あけ作業時に過大な負荷が加わった場合でも、コアビットボディの変形を抑制することが可能である。また、外部から物がぶつかった場合でも円筒状補強リングによって変形を防止することができるため、コアビットボディのシャンクに対する着脱性を損なうことがない。
【図面の簡単な説明】
【００２４】
【図１】本発明の第１の実施の形態であって、動力工具用コアビットを示す斜視図である。
【図２】同じく分解斜視図である。
【図３】第１の実施の形態であって、動力工具用コアビット組においてコアビットとシャンクとを分離した状態を示す斜視図である。
【図４Ａ】前記動力工具用コアビット組の要部断面図である。
【図４Ｂ】前記動力工具用コアビット組におけるコアビットとシャンクとの嵌合部分であって図４Ａの枠Ｗ内の要部拡大断面図である。
【図５】前記動力工具用コアビット組におけるシャンクであって、（Ａ）はフリー状態の正面図、（Ｂ）はコアビットと係合するときの正面図である。
【図６】前記動力工具用コアビットの係合用切欠であって、（Ａ）はシャンクがコアビットに装着されているときの突起の位置を示す正面図、（Ｂ）はコアビットからシャンクを外すときの突起の動きを示す正面図である。
【図７】本発明の第２の実施の形態であって、円筒状補強リングへ滑り止め加工を施した一例を示す正面図である。
【図８】本発明の第３の実施の形態であって、円筒状補強リングへ滑り止め加工を施した他の例を示す正面図である。
【図９】本発明の第４の実施の形態であって、円筒状補強リング内周にＯリング溝とＯリングを配置した状態を示す部分断面図である。
【発明を実施するための形態】
【００２５】
以下、図面を参照しながら本発明の好適な実施の形態を詳述する。なお、各図面に示される同一又は同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２６】
図１乃至図６を用いて本発明に係る動力工具用コアビット及びこれとシャンクとを組み合わせた動力工具用コアビット組の第１の実施の形態を説明する。
【００２７】
図１乃至図４Ａ、図４Ｂに示すように、コアビット１は、鋼鉄等の金属製円筒体３の先端側（一端側）に刃部としての複数のダイヤモンドチップ４がロウ付けされ、末端側（他端側）にシャンク１０と係合する係合用切欠５が設けられた円筒状コアビットボディ２と、円筒状補強リング６とで構成されている。円筒状補強リング６は例えば金属製円筒体３と同材質であって、コアビットボディ２の係合用切欠５側に、係合用切欠５の外周側を覆うように配置される。具体的には円筒体３の末端側は一段外径が小さくなった段差面３ａとなっており、ここに係合用切欠５が形成され、段差面３ａの外周に円筒状補強リング６が圧入等で容易に脱落しないように嵌合、一体化されている。係合用切欠５は例えば円周方向に等角度間隔で同一形状のものが複数個設けられており、シャンク１０と係合し、回転動作等によって容易に着脱作業を行うことができる構成である。なお、図４Ｂの拡大図に示す円筒状補強リング６の末端側（開口側）の内周面６ａは、後述するシャンク１０の固定フランジ１１の外周面が嵌合する芯出し面となっている。
【００２８】
図３乃至図６に示すように、シャンク１０は、固定フランジ１１、可動部としての可動フランジ２０、プッシュリング３０、及び固定フランジ１１の中心に固着される取付軸４０を有している。取付軸４０は例えば多角柱形状で、振動ドリルやハンマドリル等の動力工具の出力軸に連結されるものである。それら各部材の材質は、例えばコアビット１の円筒体３や円筒状補強リング６と同材質である。
【００２９】
固定フランジ１１は、コアビット１の係合用切欠５を形成した末端側内周に嵌合する部分であり、固定フランジ１１の外周面から突出して係合用切欠５と係合可能なように固定フランジ突起１２が設けられている（固定されている）。また、図４Ａ、図４Ｂに示すように、固定フランジ１１の外周には、円筒状補強リング６の末端側の内周面６ａに嵌合する外周面部分となる嵌合面１３が取付軸４０側の縁部に形成されるとともに、円筒状補強リング６の先端側（コアビット先端側）に向けて径が小さくなるテーパ面１４が形成されている。固定フランジ１１の外周のテーパ面１４よりも先端側は円筒状コアビットボディ２（つまり円筒体３）の内周面に嵌合する外周面となる小径面１５となっているが、固定フランジ１１のコアビット１への挿入を容易にするために、図４Ｂの拡大図に示すように小径面１５と円筒状コアビットボディ２の内周面との間には、嵌合面１３と円筒状補強リング６の末端側の内周面６ａとの隙間よりも大きい隙間が存在してもよい。突起１２は小径面１５に配置される。
【００３０】
固定フランジ１１に対し垂直に固着された取付軸４０は、固定フランジ１１の中心を貫通した延長部４１を有し、この延長部４１に可動部としての可動フランジ２０が摺動自在に設けられている。また、プッシュリング３０は固定フランジ１１を挟んで可動フランジ２０の反対側にあり、取付軸４０に対して摺動自在に設けられていて、可動フランジ２０とプッシュリング３０とは固定フランジ１１を摺動自在に貫通する連結ピン３１で相互に連結、一体化されている。つまり、可動フランジ２０とプッシュリング３０は一体となって取付軸４０の軸方向に移動自在である。可動フランジ２０は、円筒状コアビットボディ２の内周面に嵌合する外周面２１を有し、外周面２１から突出して係合用切欠５と係合可能なように可動フランジ突起２２が設けられている（固定されている）。突起１２，２２の円周方向の位置は同じである。なお、可動フランジ２０のコアビット１への挿入を容易にするために、図４Ｂの拡大図に示すように外周面２１と円筒状コアビットボディ２の内周面との間には僅かに隙間が存在してもよい。取付軸４０の基部にはプッシュリング３０を押し上げる向きに付勢する（可動フランジ２０が固定フランジ１１に近づく方向に付勢する）圧縮ばね３２が配設されている。
【００３１】
図５（Ａ）はプッシュリング３０に外力が働かないフリー状態の固定フランジ１１と可動フランジ２０との位置関係を示し、圧縮ばね３２の弾性力で可動フランジ２０が引き上げられる結果、固定フランジ１１と可動フランジ２０は密接しており、固定フランジ突起１２と可動フランジ突起２２の間隔は最も狭い状態である。図５（Ｂ）はプッシュリング３０を所定量押し下げた状態であり、圧縮ばね３２の弾性力に抗して可動フランジ２０が押し下げられる結果、固定フランジ突起１２と可動フランジ突起２２は配列間隔ｙだけ離れている。
【００３２】
図４Ａ、図４Ｂ及び図５に示した固定フランジ突起１２及び可動フランジ突起２２を有するシャンク１０に対応するコアビット１側の係合用切欠５の形状の一例を図６に示す。図６（Ａ）,（Ｂ）に示すように、係合用切欠５は、円筒状コアビットボディ２の末端側の開口縁から軸方向に延びる軸方向部５１と、軸方向部５１の端部から周方向に延びる第１の周方向部６１とを有し、第１の周方向部６１の末端には周方向の移動を規制するロック部６１ａが設けられている。ロック部６１ａは周方向部６１の末端からコアビットボディ２の開口縁側に向かって切り欠いた部分である。第１の周方向部６１及びロック部６１ａは可動フランジ２０に設けられた第１の突起としての可動フランジ突起２２と係合するためのものである。
【００３３】
また、係合用切欠５は、軸方向部５１の途中から第１の周方向部６１と同じ向きに延びる第２の周方向部７１を有している。これは固定フランジ１１に設けられた第２の突起としての固定フランジ突起１２と係合するためのものである。
【００３４】
さらに、軸方向部５１の開口縁側は第１の周方向幅Ｗ１で、奥側は第１の周方向幅Ｗ１よりも狭い第２の周方向幅Ｗ２であり、第１の周方向幅Ｗ１から第２の周方向幅Ｗ２に変化する部分が傾斜部５２となっている。この傾斜部５２はコアビットボディ１からシャンク１０を離脱させ易くするために形成されているものであり、作用は図６（Ｂ）で後述する。
【００３５】
シャンク１０のコアビット１への取り付けは、シャンク１０の固定フランジ突起１２と可動フランジ突起２２の周方向位置を、係合用切欠５の軸方向部５１の位置に合わせて、固定フランジ１１の嵌合面１３を円筒状補強リング６の内周面６ａ（芯出し面となっている）に嵌合する（図４Ｂの拡大図）。これにより、シャンク１０の中心軸（取付軸４０の中心）とコアビット１の中心軸とを一致させる芯出しが行われる。この状態で、プッシュリング３０を圧縮ばね３２の付勢力に抗して押し下げることで、可動フランジ２０をコアビット１の先端側に移動させ、可動フランジ突起２２が軸方向部５１の端部に突き当たるようにし（突起１２，２２間は配列間隔ｙとなる）、さらにシャンク１０をコアビット１の円周方向に回転させる（プッシュリング３０を回転させることで固定フランジ１１及び可動フランジ２０の両者を回転させる）。可動フランジ突起２２が第１の周方向部６１の末端に当たった所でプッシュリング３０の押し下げを解除すれば、可動フランジ２０が固定フランジ１１に近づく方向に移動して可動フランジ突起２２がロック部６１ａに係合し、以後可動フランジ２０が周方向に移動することが阻止され、シャンク１０とコアビット１とが結合状態で保持されることになる。
【００３６】
シャンク１０をコアビット１から取り外す場合は、図６（Ａ）の状態からプッシュリング３０を押し下げながら取付時とは逆方向に回転させる。この回転によって、固定フランジ突起１２は図６（Ｂ）の１１２ａの位置から、１１２ｃ，１１２ｅの位置へと移動する。位置１１２ａ，１１２ｃ，１１２ｅの中心点を結ぶ矢印１１２は、固定フランジ突起１２の中心点の移動軌跡を示す。この矢印１１２から解るように、固定フランジ突起１２は位置１１２から位置１１２ｅまでは軸方向には移動せずに周方向にだけ移動する。
【００３７】
一方、可動フランジ突起２２の移動は固定フランジ突起１２の移動とは異なる。まず、プッシュリング３０を押し下げることにより１２２ａの位置から、１２２ｂの位置に移動させる。この移動によって可動フランジ突起２２がロック部６１ａから外れ、さらにプッシュリング３０を押し下げながら取付時とは逆方向に回転させることで、１２２ｂの位置から１２２ｃ，１２２ｄの位置に到達する。１２２ｄの位置では可動フランジ突起２２が軸方向部５１の縁に接するので、それ以上の回転ができなくなる。そこで、プッシュリング３０の押し下げを解除すると、圧縮ばね３２の弾性力によって図５（Ａ）のように可動フランジ２０は固定フランジ１１に密接状態となり、可動フランジ突起２２は１２２ｅの位置まで自動的に移動する。
【００３８】
通常ならば、この状態からコアビット１をシャンク１０から離脱方向に移動させることで、つまり固定フランジ突起１２及び可動フランジ突起２２が軸方向部５１を軸方向に移動することで、コアビット１を容易に取り外すことができる筈である。
【００３９】
しかしながら、コアビット１とシャンク１０との嵌合部分、つまり円筒状補強リング６の末端側の芯出し面となる内周面６ａと固定フランジ１１の嵌合面１３とは取付精度の確保のために遊びの少ない（相互の隙間の小さい）嵌合構造となっているため、嵌合部分に塵埃が入った際に固定フランジ１１及び可動フランジ２０とコアビット１との相対移動が円滑でなくなり、なかなか取り外せない場合があり得る。そこで、軸方向部５１の開口縁側は第１の周方向幅Ｗ１で、奥側は第１の周方向幅Ｗ１よりも狭い第２の周方向幅Ｗ２とし、第１の周方向幅Ｗ１から第２の周方向幅Ｗ２に変化する部分が傾斜部５２となるようにしている。そして、可動フランジ突起２２が１２２ｅの位置まで自動的に移動した後、さらに周方向に回転させることで、１２２ｅの位置にある可動フランジ突起２２は傾斜部５２に当たるため、可動フランジ突起２２は傾斜部５２に案内されて斜めにコアビット末端方向に移動する。この状態を示すのが矢印１２２（突起２２の中心点の軌跡）の最後の部分の移動軌跡である。傾斜部５２は可動フランジ突起２２が周方向に移動するときに、シャンク１０がコアビット１から離脱する方向の分力を発生するため、シャンク１０を回転させるだけで容易に、換言すれば小さな操作力でコアビット１から離脱させることが可能になる。
【００４０】
本実施の形態によれば、下記の効果を奏することができる。
【００４１】
(1) 従来は、係合用切欠５は板厚の薄いコアビットボディ２の一端に複数個設けられているので、穴あけ作業時に過大なトルクが加わった場合には、変形が生じやすく、また、むき出しの状態では物にぶつかった場合などにも容易に変形してしまうため、シャンク１０の着脱ができなくなるといった問題があった。本実施の形態では、円筒状補強リング６を係合用切欠５を覆うようにコアビットボディ２に密着させて設けているので、過大トルクが発生した場合にもコアビットボディ２の変形を抑制できる。また、物にぶつかった場合にも、補強リング６で防御できるため、変形することを防止できる。従って、コアビットボディ２のシャンク１０に対する着脱性を損なうことがない。
【００４２】
(2) 従来は、コアビットボディ２に係合用切欠５を備えた場合には、シャンク１０との合わせ部の穴の加工精度が得られにくいため芯出しの精度が悪くなり、コアビットの振れが大きくなるといった問題があった。本実施の形態によれば、円筒状補強リング６の内周面６ａがシャンク側（固定フランジ１１の）との芯出し面となっているので、芯出し精度を向上させ、コアビット１の振れを抑制することができる。
【００４３】
(3) 円筒状補強リング６の芯出し面となっている内周面６ａに固定フランジ１１の嵌合面１３が嵌合して、コアビット１とシャンク１０の中心軸を一致させる芯出しが行われるが、嵌合面１３に隣接してコアビットボディ２の先端側（奥側）に向けて径が小さくなるテーパ面１４が形成されているため、図４Ｂの拡大図から解るように空間Ｓがコアビットボディ２の円筒体３の先端面側に形成される。この空間Ｓがあるため、使用時に塵埃が円筒状補強リング６の芯出し面となっている内周面６ａや円筒体３の先端面に付着しても、簡単な拭き取り等の清掃作業で支障なく使用可能である（深さ方向の幅の狭い嵌合面１３に接する内周面６ａの開口縁部のみに塵埃の付着が無ければよい）。また、嵌合面１３は深さ方向の幅が狭い面であり、内周面６ａに接する面積が少ないため、シャンク１０を離脱時に回す際の摩擦が少なく、シャンク１０の着脱作業が円滑に行える。
【００４４】
(4) 係合用切欠５の形状を工夫し、図６のように、軸方向部５１の開口縁側は第１の周方向幅Ｗ１で、奥側は第１の周方向幅Ｗ１よりも狭い第２の周方向幅Ｗ２とし、第１の周方向幅Ｗ１から第２の周方向幅Ｗ２に変化する部分が傾斜部５２となるようにしている。これにより、傾斜部５２に沿ってシャンク１０側の可動フランジ突起２２が移動することで、シャンク１０がコアビット１から離脱する方向の分力を発生し、シャンク１０を回転させるだけで容易に、換言すれば小さな操作力でコアビット１から離脱させることが可能になる。
【００４５】
図７は本発明の第２の実施の形態であって、円筒状補強リング６の外周面に滑り止め加工した例を示す。すなわち、円筒状補強リング６の外周面は縦溝を多数形成した滑り止め加工面６ｂとなっている。補強リング６は円筒形状であるため容易に滑り止め加工が可能である。その他の構成は前述の第１の実施の形態と同様である。
【００４６】
この第２の実施の形態によれば、補強リング６に滑り止め加工することによって、コアビット１とシャンク側との着脱動作の際に確実に把持することができ、シャンクの着脱操作がし易くなる。また、コアビット１を持ち運ぶ際にも、滑りにくく持ち運びもし易くなり、落下して刃部を傷めることを防止できる。
【００４７】
図８は本発明の第３の実施の形態であって、円筒状補強リング６の外周面に別の滑り止め加工した例を示す。すなわち、円筒状補強リング６の外周面はローレット加工による滑り止め加工面６ｃとなっている。その他の構成、作用効果は第２の実施の形態と同様である。
【００４８】
図９は本発明の第４の実施の形態を示す。この場合、円筒状補強リング６の内周面６ａ（シャンクとの合わせ面）に円環状Ｏリング溝７が形成され、Ｏリング溝７にＯリング８が配置されている、シャンク１０は固定フランジ１１の外周面がＯリング８を圧縮して内周面６ａに嵌合する構造である。この場合、内周面６ａに嵌合する固定フランジ１１の外周面の深さ方向の幅は大きくてもよく、第１の実施の形態で設けたテーパ面１４は不要である。その他の構成は前述の第１の実施の形態と同様でもよい。
【００４９】
第４の実施の形態によれば、Ｏリング８によってコアビット１とシャンク１０との芯出しを容易に行うことができる。また、Ｏリング８があるため、Ｏリング８よりも奥側に塵埃が侵入しないから防塵性が良好であり、シャンク１０の着脱も容易である。なお、従来のコアビットの場合、板厚が薄いとＯリングを収納する溝を設置することが困難であり、また、板厚を厚くした場合でも、係合用切欠が存在する場所へＯリングを設置することになるため、Ｏリングの損傷や、良好な芯出しができないといった問題が生じてしまう。
【００５０】
以上、実施の形態を例に本発明を説明したが、実施の形態の各構成要素や各処理プロセスには請求項に記載の範囲で種々の変形が可能であることは当業者に理解されるところである。以下、変形例について触れる。
【００５１】
本発明の実施の形態において、シャンク１０は、固定フランジ突起１２を有する固定フランジ１１と、可動フランジ突起２２を有する可動フランジ２０とを有する構造を例示したが、固定フランジのみを有するシャンクであっても本発明は適用可能である。また、これに対応させて係合用切欠の形状も変更可能である。
【００５２】
本発明の実施の形態では、円筒状コアビットボディの末端側に係合用切欠を設けた場合を説明したが、円筒状コアビットボディの末端側の内周面に係合用溝を設けた場合でも本発明は適用でき、円筒状補強リングで変形を防止できる。
【符号の説明】
【００５３】
１  コアビット
２  コアビットボディ
３  円筒体
４  ダイヤモンドチップ
５  係合用切欠
６  補強リング
６ａ  内周面
６ｂ，６ｃ  滑り止め加工面
７  Ｏリング溝
８  Ｏリング
１０  シャンク
１１  固定フランジ
１２  固定フランジ突起
２０  可動フランジ
２２  可動フランジ突起
３０  プッシュリング
４０  取付軸
【図５】
2014030867.tif 000003
【図６】
2014030867.tif 000004
【図７】
2014030867.tif 000005
【図８】
2014030867.tif 000006
【図９】
2014030867.tif 000007
【図１】
2014030867.tif 000008
【図２】
2014030867.tif 000009
【図３】
2014030867.tif 000010
【図４Ａ】
2014030867.tif 000011
【図４Ｂ】
2014030867.tif 000012